(57)【要約】      （修正有）【課題】ノートや本の表裏紙や裏表紙を覆うとともに、筆記具等の長尺物を適切に保持できるカバー体を提供する。【解決手段】シートで形成され、シートが折れ曲がって冊子部５を覆うカバー体であって、シートの長手方向の一端側に位置する表側カバー部１２と、長手方向の他端側に位置し、シートを折り曲げた際に表側カバー部に対向する裏側カバー部と、表側カバー部と裏側カバー部の少なくともいずれか一方に位置し、シートの折り返しにより重畳形成され、対向する二辺が開口する長尺物挟持部１３と、を備える。【選択図】図１
0003194183.tif 000002
【実用新案登録請求の範囲】
【請求項１】
シートで形成され、前記シートが折れ曲がって冊子部を覆うカバー体であって、
前記シートの長手方向の一端側に位置する第一カバー部と、
前記長手方向の他端側に位置し、前記シートを折り曲げた際に前記第一カバー部に対向する第二カバー部と、
前記第一カバー部と前記第二カバー部の少なくともいずれか一方に位置し、前記シートの折り返しにより重畳形成される挟持部であって、対向する二辺が開口する挟持部と、
を備える、カバー体。
【請求項２】
開口する前記二辺の少なくとも一方の縁部に、凹状の切り欠きが形成されている、
請求項１に記載のカバー体。
【請求項３】
前記挟持部は、前記シートの前記長手方向に沿って重畳形成され、
前記挟持部の前記長手方向の二辺が、開口する、
請求項１又は２に記載のカバー体。
【請求項４】
前記挟持部は、前記シートの短手方向の中央側に位置する、
請求項１から３のいずれか１項に記載のカバー体。
【請求項５】
前記カバー体の折り曲げ部分が、前記冊子部の背の部分に固定される、
請求項１から４のいずれか１項に記載のカバー体。
【請求項６】
前記挟持部は、表面に凹凸が形成された挟持面を有する、
請求項１から５のいずれか１項に記載のカバー体。
【請求項７】
前記カバー体は、一枚のシートで形成されている、
請求項１から６のいずれか１項に記載のカバー体。
【請求項８】
前記カバー体は、前記第一カバー部を形成する第一シートと、前記第二カバー部を形成する第二シートとで形成され、
前記カバー体は、前記第一カバー部と前記第二カバー部とを連結する連結部を更に備える、
請求項１から６のいずれか１項に記載のカバー体。
【請求項９】
冊子部と、
シートで形成され、前記シートが折れ曲がって前記冊子部を覆うカバー体と、
を有するノートであって、
前記カバー体は、
前記シートの長手方向の一端側に位置する第一カバー部と、
前記長手方向の他端側に位置し、前記シートを折り曲げた際に前記第一カバー部に対向する第二カバー部と、
前記第一カバー部と前記第二カバー部の少なくともいずれか一方に位置し、前記シートの折り返しにより重畳形成される挟持部であって、対向する二辺が開口する挟持部と、
を備える、ノート。
【請求項１０】
前記第一カバー部又は前記第二カバー部は、前記カバー体が開いた際に前記冊子部の台紙となる、
請求項９に記載のノート。
【考案の詳細な説明】
【技術分野】
【０００１】
本考案は、カバー体、及びノートに関する。
【背景技術】
【０００２】
従来、ノートや本等の冊子の損傷を防止するために、冊子の表表紙や裏表紙を覆うカバー体が利用されている。また、カバー体の中には、利便性の向上の観点から、表面に収納部を有するものがある。
【０００３】
下記の特許文献１に記載のブックカバーは、切符やテレホンカード等の小物を収納する小物収納部を備えている。特許文献２に記載の家計ノートは、カバー表面にレシートやメモ用紙等を収納する収納部を備えている。
【先行技術文献】
【特許文献】
【０００４】
【特許文献１】特開２００２−１７８６６５号公報
【特許文献２】実用新案登録第３０６４３３７号公報
【考案の概要】
【考案が解決しようとする課題】
【０００５】
ところで、例えばユーザは冊子にペン等の筆記具で記入したい場合があり、カバーに筆記具を保持したい要請がある。しかし、上記の特許文献１及び特許文献２の収納部は、小物を収納できるが、ペン等の長尺物を収納することは想定されていない。特に、上記の収納部では、開口している一辺から長尺物を挿入するが、当該一辺に対向する辺は閉塞されているため、長尺物の先端側のみが挿入されることになり、長尺物が収納部に保持されない恐れがある。
【０００６】
そこで、本考案はこれらの点に鑑みてなされたものであり、カバー体に長尺物を適切に保持できる構成を提供することを目的とする。
【課題を解決するための手段】
【０００７】
本考案の第一の態様においては、シートで形成され、前記シートが折れ曲がって冊子部を覆うカバー体であって、前記シートの長手方向の一端側に位置する第一カバー部と、前記長手方向の他端側に位置し、前記シートを折り曲げた際に前記第一カバー部に対向する第二カバー部と、前記第一カバー部と前記第二カバー部の少なくともいずれか一方に位置し、前記シートの折り返しにより重畳形成される挟持部であって、対向する二辺が開口する挟持部と、を備える、カバー体を提供する。
【０００８】
上記のカバー体において、開口する前記二辺の少なくとも一方の縁部に、凹状の切り欠きが形成されてもよい。また、上記のカバー体において、前記挟持部は、前記シートの前記長手方向に沿って重畳形成され、前記挟持部の前記長手方向の二辺が、開口してもよい。
【０００９】
上記のカバー体において、前記挟持部は、前記シートの前記短手方向の中央側に位置してもよい。また、上記のカバー体において、前記カバー体の折り曲げ部分が、前記冊子部の背の部分に固定されてもよい。
【００１０】
上記のカバー体において、前記挟持部は、表面に凹凸が形成された挟持面を有してもよい。また、上記のカバー体において、前記カバー体は、一枚のシートで形成されてもよい。又は、前記カバー体は、前記第一カバー部を形成する第一シートと、前記第二カバー部を形成する第二シートとで形成され、前記カバー体は、前記第一カバー部と前記第二カバー部とを連結する連結部を更に備えてもよい。
【００１１】
本考案の第二の態様においては、冊子部と、シートで形成され、前記シートが折れ曲がって前記冊子部を覆うカバー体と、を有するノートであって、前記カバー体は、前記シートの長手方向の一端側に位置する第一カバー部と、前記長手方向の他端側に位置し、前記シートを折り曲げた際に前記第一カバー部に対向する第二カバー部と、前記第一カバー部と前記第二カバー部の少なくともいずれか一方に位置し、前記シートの折り返しにより重畳形成される挟持部であって、対向する二辺が開口する挟持部と、を備える、ノートを提供する。
【００１２】
上記のノートにおいて、前記第一カバー部又は前記第二カバー部は、前記カバー体が開いた際に前記冊子部の台紙となってもよい。
【考案の効果】
【００１３】
本考案によれば、カバー体に長尺物を適切に保持できるという効果を奏する。
【図面の簡単な説明】
【００１４】
【図１】一実施形態に係るノート１の正面側の外観構成を示す図である。
【図２】ノート１の背面側の外観構成を示す図である。
【図３】カバー体１０を開いた際のノート１を示す図である。
【図４】展開したカバー体１０の表面側を見た図である。
【図５】図４に示すカバー体１０を裏面側から見た図である。
【図６】表側カバー部１２と裏側カバー部２２を折り返した状態のカバー体１０を表面側から見て図である。
【図７】図６に示すカバー体１０を裏面側から見た図である。
【図８】カバー体１０の変形例を示す図である。
【考案を実施するための形態】
【００１５】
＜ノートの概要＞
図１〜図３を参照しながら、本考案の一実施形態に係るノートの概要について説明する。図１は、一実施形態に係るノート１の正面側の外観構成を示す図である。図２は、ノート１の背面側の外観構成を示す図である。図３は、カバー体１０を開いた際のノート１を示す図である。
【００１６】
ノート１は、複数の紙を綴じた冊子であり、各種情報の記録又はメモに利用される。ノート１は、図１〜図３に示すように、冊子部５と、カバー体１０とを有する。カバー体１０は、綴じ具で冊子部５に綴じられている。
【００１７】
冊子部５は、複数の紙を綴じ具で綴じたものである。ユーザは、図３に示すようにカバー体１０を開いた状態で、冊子部５の紙面にペン等の筆記具で文字等を記入する。
【００１８】
カバー体１０は、冊子部５を覆う機能を有する。カバー体１０は、図１に示すように冊子部５の表面６ａをカバーする表側カバー部１２と、図２に示すように冊子部５の裏面６ｂをカバーする裏側カバー部２２とを有する。カバー体１０は、冊子部５の背の部分６ｃに綴じ具で固定されている。当該綴じ具は、冊子部５の複数の紙を綴じる機能と、カバー体１０を冊子部５の背の部分６ｃに固定する機能とを有する。
【００１９】
表側カバー部１２と裏側カバー部２２は、カバー体１０が開いた際に冊子部５の台紙となる。例えば、図３のようにカバー体１０が開いた場合には、冊子部５に筆記具で記入する際に、裏側カバー部２２が冊子部５の台紙（又は下敷き）の機能を有する。これにより、冊子部５への記入を行いやすくなる。
【００２０】
本実施形態のカバー体１０は、冊子部５の紙よりも厚いシート（例えば、厚紙）で形成されている。また、カバー体１０では、一枚のシートを折り曲げて表側カバー部１２と裏側カバー部２２が形成されている。このため、簡易な構成のシートを用いてカバー体１０を容易に製造できる。
【００２１】
また、本実施形態のカバー体１０は、冊子部５への記入等に利用される筆記具を挟持する挟持部１３、２３を有する。挟持部１３、２３は、シートの折り返しにより重畳形成されたものであり、重畳部の間に筆記具を挟んで保持する。
【００２２】
挟持部１３は、図１に示すように表側カバー部１２に位置し、筆記具Ｐ１を挟持する。なお、図１では、挟持部１３が一つの筆記具Ｐ１を挟持しているが、これに限定されず、複数の筆記具を挟持できる。挟持部１３の上辺及び下辺が開口しており、筆記具Ｐ１のフックＨが挟持部１３の上辺縁に係止されている。これにより、筆記具Ｐ１が挟持部１３に保持された状態を維持しやすくなる。また、挟持部１３には、挟持した筆記具Ｐ１の移動を防止するために凹凸１７が形成されている。
【００２３】
挟持部２３は、図２に示すように裏側カバー部２２に位置し、筆記具Ｐ２を挟持する。挟持部２３も、挟持部１３と同様に上辺及び下辺が開口しており、筆記具Ｐ２のフックＨが挟持部２３の上辺縁に係止されている。また、挟持部２３にも、挟持したペンＰ２の移動を防止するために凹凸２７が形成されている。
【００２４】
なお、上記では、カバー体１０がノート１の構成の一部として冊子部５の背の部分６ｃに固定されていることとしたが、これに限定されない。例えば、カバー体１０は、冊子部５に着脱可能に装着されるものであっても良い。かかる場合には、カバー体１０は、様々な冊子部５に装着可能となる。また、カバー体１０は、本に装着されて、本をカバーしても良い。また、カバー体１０は、単行本等の表紙としても適用可能である。
【００２５】
また、上記では、表側カバー部１２と裏側カバー部２２の両方に挟持部１３、２３を設けることとしたが、これに限定されない。例えば、表側カバー部１２と裏側カバー部２２のいずれか一方に挟持部を設けても良い。
【００２６】
＜カバー体の詳細構成＞
図４〜図７を参照しながら、一実施形態に係るカバー体１０の詳細構成について説明する。図４は、展開したカバー体１０の表面側を見た図である。図５は、図４に示すカバー体１０を裏面側から見た図である。図６は、表側カバー部１２と裏側カバー部２２を折り返した状態のカバー体１０を表面側から見て図である。図７は、図６に示すカバー体１０を裏面側から見た図である。
【００２７】
カバー体１０は、図４及び図５に示すように、略Ｈ状の一枚のシートで構成されている。カバー体１０は、それぞれ矩形状の第一連結部１４、一端矩形部１６、第二連結部２４、及び他端矩形部２６を有する。第一連結部１４及び第二連結部２４が、シートの長手方向において中央側に位置し、一端矩形部１６と他端矩形部２６とを連結している。
【００２８】
第一連結部１４と第二連結部２４との接続部が、図１に示すようにシートを折り曲げる折り曲げ部３２になっている。なお、折り曲げ部３２が、冊子部５の背の部分６ｃに綴じ具で固定される。また、第一連結部１４と一端矩形部１６との接続部が、図７に示すようにシートを折り返す一端側折り返し部３４になっており、第二連結部２４と他端矩形部２６との接続部が、他端側折り返し部３６になっている。
【００２９】
第一連結部１４と一端矩形部１６は、図６に示すように一端側折り返し部３４で折り返して長手方向に沿って重畳され、前述した表側カバー部１２を構成する。同様に、第二連結部２４と他端矩形部２６は、他端側折り返し部３６で折り返して長手方向に沿って重畳され、前述した裏側カバー部２２を構成する。なお、図６に示すカバー体１０において、折り曲げ部３２で折り曲げた際に裏側カバー部２２が表側カバー部１２と対向する。このため、本実施形態において、表側カバー部１２が長手方向一端側に位置する第一カバー部に該当し、裏側カバー部２２が長手方向他端側に位置する第二カバー部に該当する。
【００３０】
また、第一連結部１４の第一面１４ａと、一端矩形部１６の第一面１６ａとは、一端側折り返し部３４で折り返すことで対向し、図１に示すように筆記具Ｐ１を挟持する挟持部１３の挟持面として機能する。同様に、第二連結部２４の第一面２４ａと、他端矩形部２６の第一面２６ａとは、他端側折り返し部３６で折り返すことで対向し、図２に示すように筆記具Ｐ２を挟持する挟持部２３の挟持面として機能する。このように一枚のシートを折り返すことで挟持部を形成できるので、挟持部を有するカバー体を容易に製造できる。
【００３１】
また、第一連結部１４と一端矩形部１６は、短手方向に沿った一端側折り返し部３４で折り返されるため、第一連結部１４の長手方向に沿った上辺１４ｃ及び下辺１４ｄは、図７に示すように開口している。このように対向する上辺１４ｃ及び下辺１４ｄが開口しているため、図１に示すように挟持部１３が長尺の筆記具Ｐ１の中央側を挟持でき、この結果筆記具Ｐ１を安定して保持できる。また、筆記具Ｐ１のフックＨを上辺１４ｃの縁に引っ掛けることができ、筆記具Ｐ１をより安定して保持できる。同様に、第二連結部２４の長手方向に沿った上辺２４ｃ及び下辺２４ｄも開口しているため、図２に示すように挟持部２３が長尺の筆記具Ｐ２を安定して保持できる。
【００３２】
また、図４に示すように、第一連結部１４の第一面１４ａと、第二連結部２４の第一面２４ａは、それぞれ短手方向の中央側に位置する。このため、図１や図２に示すように、挟持部１３、２３は、筆記具Ｐ１、Ｐ２をノート１の中央側で保持でき、筆記具がノート１からはみ出ることを防止できる。
【００３３】
また、第一連結部１４（具体的には、第一面１４ａ及び第二面１４ｂ）には、長手方向に沿った凹凸１７が形成されている。凹凸１７は、短手方向において所定間隔で形成されている。挟持面である第一面１４ａに凹凸１７が形成されていることで、図１に示すように挟持された筆記具Ｐ１の移動を防止できるので、筆記具Ｐ１が抜け難くなり、挟持部１３が筆記具Ｐ１を安定して保持できる。
【００３４】
同様に、第二連結部２４（具体的には、第一面２４ａ及び第二面２４ｂ）にも、凹凸２７が形成されている。挟持面である第一面２４ａに凹凸２７が形成されていることで、筆記具Ｐ２が抜け難くなり、挟持部２３が筆記具Ｐ２を安定して保持できる。なお、上記では、第一連結部１４及び第二連結部２４に凹凸１７、２７が形成されていることとしたが、これに限定されない。例えば、一端矩形部１６と他端矩形部２６に凹凸が形成されても良い。かかる場合にも、挟持部１３、２３が筆記具を安定して保持できる。
【００３５】
（変形例）
図８は、カバー体１０の変形例を示す図である。第一連結部１４の上辺１４ｃ、及び第二連結部２４の上辺２４ｃ側の縁部に、図８に示すような凹状の切り欠き１４ｅ、２４ｅが形成されてもよい。切り欠き１４ｅ、２４ｅは、上辺１４ｃ、２４ｃの中央部にＵ字状に切り欠かれている。切り欠き１４ｅ、２４ｅの幅は、筆記具のフック（図１に示すフックＨ）の幅よりも少し大きい。このような切り欠き１４ｅ、２４ｅを設けることで、挟持部１３に保持された筆記具のフックが切り欠き１４ｅ、２４ｅに係止されて、筆記具の移動を抑制できる。
【００３６】
なお、上記では、切り欠き１４ｅ、２４ｅが一つであることとしたが、これに限定されず、複数の切り欠きが形成されてもよい。かかる場合には、複数の筆記具の移動を抑制できる。また、上記では、上辺１４ｃ、２４ｃに切り欠きが形成されていることとしたが、これに限定されず、上辺の代わりに下辺１４ｄ、２４ｄ側に形成されてもよい。又は、上辺１４ｃ、２４ｃと下辺１４ｄ、２４ｄの両方に、切り欠きが形成されてもよい。更に、上記では、切り欠き１４ｅ、２４ｅはＵ字状であることとしたが、これに限定されず、例えばＶ字状であってもよい。
【００３７】
また、上記では、カバー体１０が一枚のシートで形成されていることとしたが、これに限定されず、カバー体１０は、複数枚のシートで形成されてもよい。例えば、カバー体１０は、表側カバー部１２を形成する第一シートと、裏側カバー部２２を形成する第二シートとの二枚のシートで形成されてもよい。かかる場合には、カバー体１０は、表側カバー部１２と裏側カバー部２２とを連結する連結部を有することが望ましい。かかる構成により、カバー体１０の開閉（折り曲げ）を円滑に行える。連結部は、折り曲げ部３２に対応する箇所に位置する。また、連結部は、例えば、カバー体１０の短手方向（図４）に沿って螺旋状に形成したワイヤで構成され、又は所謂２穴用リング金具等のリング部材で構成される。
【００３８】
＜本実施形態の効果＞
上述したように、本実施形態のカバー体１０は、表側カバー部１２と裏側カバー部２２の少なくともいずれか一方に位置し、シートの折り返しにより重畳形成される挟持部（ここでは、図１に示す挟持部１３を例に挙げる）を有する。そして、挟持部１３の対向する二辺（上辺１４ｃ及び下辺１４ｄ）は、開口している。
かかる場合には、挟持部１３の対向する上辺１４ｃ及び下辺１４ｄが開口しているので、図１に示すように筆記具Ｐ１の中央側を挟持できるので、筆記具Ｐ１を安定して保持できる。また、筆記具Ｐ１がフックＨを有する場合には、フックＨを上辺１４ｃの縁に係止させることができるので、筆記具Ｐ１をより安定して保持できる。
【００３９】
以上、本考案を実施の形態を用いて説明したが、本考案の技術的範囲は上記実施の形態に記載の範囲には限定されない。上記実施の形態に、多様な変更又は改良を加えることが可能であることが当業者に明らかである。そのような変更又は改良を加えた形態も本考案の技術的範囲に含まれ得ることが、特許請求の範囲の記載から明らかである。
【符号の説明】
【００４０】
１    ノート
５    冊子部
１０    カバー体
１２    表側カバー部
１３    挟持部
１４    第一連結部
１４ｃ    上辺
１４ｄ    下辺
１４ｅ    切り欠き
１６    一端矩形部
２２    裏側カバー部
２３    挟持部
２４    第二連結部
２４ｃ    上辺
２４ｄ    下辺
２４ｅ    切り欠き
２６    他端矩形部
３２    折り曲げ部
【図１】
0003194183.tif 000003
【図２】
0003194183.tif 000004
【図３】
0003194183.tif 000005
【図４】
0003194183.tif 000006
【図５】
0003194183.tif 000007
【図６】
0003194183.tif 000008
【図７】
0003194183.tif 000009
【図８】
0003194183.tif 000010